【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
複数の単位セルと、前記複数の単位セルを走査することで、前記複数の単位セルの各々から信号を出力させる走査回路と、電圧電流変換回路と、電流電圧変換回路と、出力端子と、入力端子とを有し、
前記電流電圧変換回路は、前記入力端子に入力された第１の電流信号を第１の電圧信号に変換し、
前記走査回路は、前記電流電圧変換回路から出力された前記第１の電圧信号に応答して走査を開始し、
前記電圧電流変換回路は、前記走査回路から出力された第２の電圧信号を第２の電流信号に変換して前記出力端子から前記第２の電流信号を出力することを特徴とするチップ。
【請求項２】
複数の単位セルと、前記複数の単位セルを走査することで、前記複数の単位セルの各々から信号を出力させる走査回路と、電圧電流変換回路と、電流電圧変換回路と、出力端子と、入力端子とを各々が有する第１のチップと第２のチップとを有し、
前記第１のチップの前記電圧電流変換回路は、前記第２のチップの前記走査回路の走査の開始タイミングを示す電圧信号を電流信号に変換し、
前記第１のチップの前記出力端子は、前記電流信号が前記第２のチップの前記入力端子に入力されるように前記第２のチップの前記入力端子に接続され、
前記第２のチップの前記電流電圧変換回路は、前記第２のチップの前記入力端子に入力された前記電流信号を電圧信号に変換し、
前記第２のチップの前記走査回路は、前記第２のチップの前記電流電圧変換回路によって得られた前記電圧信号に基づいて、前記複数の単位セルの走査を開始することを特徴とするマルチチップモジュール。
【請求項３】
前記第１のチップおよび前記第２のチップの各々は、前記複数の単位セルから出力された信号に基づく信号を各々のチップの外部に出力する出力部を有し、
前記第１のチップが出力する前記電流信号が、前記第１のチップの前記出力部が前記チップの外部に前記信号を出力する動作を終えるのに先立って、前記第１のチップの前記出力端子から出力される信号であることを特徴とする請求項２に記載のマルチチップモジュール。
【請求項４】
前記第２のチップの前記電流電圧変換回路によって得られた前記電圧信号に基づいて、前記第２のチップの前記出力部が動作を開始することを特徴とする請求項３に記載のマルチチップモジュール。
【請求項５】
前記出力部が、前記複数の単位セルの各々から出力された前記信号を増幅した信号を出力するアンプであることを特徴とする請求項４に記載のマルチチップモジュール。
【請求項６】
前記複数の単位セルの各々は、入射光に基づく信号を出力する受光部を有し、
前記出力部が、前記複数の単位セルの各々の前記受光部から出力された前記信号を増幅した信号を出力することを特徴とする請求項４または５に記載のマルチチップモジュール。
【請求項７】
請求項２乃至６のいずれか１項に記載のマルチチップモジュールを含む画像読み取り部を備えることを特徴とする装置。
【請求項８】
請求項２乃至６のいずれか１項に記載のマルチチップモジュールを有するとともに、原稿に対して相対的に走査されることで前記原稿に基づく画像信号を生成する原稿読み取り部と、前記画像信号に基づいて印刷媒体に前記原稿を複写する印刷部とを有することを特徴とする複写機。
【請求項９】
各々が液体吐出部を含む複数の単位セルと、前記複数の単位セルを走査することで、前記複数の単位セルの各々に信号を入力させる走査回路と、電圧電流変換回路と、電流電圧変換回路と、出力端子と、入力端子とを各々が有する第１のチップと第２のチップとを有し、
前記第１のチップの前記電圧電流変換回路は、前記第２のチップの前記走査回路の走査の開始タイミングを示す電圧信号を電流信号に変換し、
前記第１のチップの前記出力端子は、前記電流信号が前記第２のチップの前記入力端子に入力されるように前記第２のチップの前記入力端子に接続され、
前記第２のチップの前記電流電圧変換回路は、前記第２のチップの前記入力端子に入力された前記電流信号を電圧信号に変換し、
前記第２のチップの前記走査回路は、前記第２のチップの前記電流電圧変換回路によって得られた前記電圧信号に基づいて、前記複数の単位セルの走査を開始する、マルチチップモジュールを備えることを特徴とする装置。
【請求項１０】
請求項９に記載の装置と、印刷媒体を搬送する印刷媒体搬送部とを備え、前記装置を用いて前記印刷媒体に印刷を行うことを特徴とする印刷機。
【請求項１１】
請求項９に記載の装置を備え、形成中の構造体に対して前記装置が液体吐出を行うことによって、構造体を製造することを特徴とする製造装置。
【手続補正２】
【補正対象書類名】明細書
【補正対象項目名】０００６
【補正方法】変更
【補正の内容】
【０００６】
本発明の一の態様は、複数の単位セルと、前記複数の単位セルを走査することで、前記複数の単位セルの各々から信号を出力させる走査回路と、電圧電流変換回路と、電流電圧変換回路と、出力端子と、入力端子とを有し、前記電流電圧変換回路は、前記入力端子に入力された第１の電流信号を第１の電圧信号に変換し、前記走査回路は、前記電流電圧変換回路から出力された前記第１の電圧信号に応答して走査を開始し、前記電圧電流変換回路は、前記走査回路から出力された第２の電圧信号を第２の電流信号に変換して前記出力端子から前記第２の電流信号を出力することを特徴とするチップである。
【手続補正３】
【補正対象書類名】明細書
【補正対象項目名】００１４
【補正方法】変更
【補正の内容】
【００１４】
スタート信号選択回路２０６は、２つの信号入力端子と、選択制御端子と、出力端子とを有する、マルチプレクサ等の選択回路である。スタート信号選択回路２０６は、選択制御端子に入力される信号電圧に応じて２つの信号入力端子に入力されている信号のいずれかを選択して出力端子から出力する。スタート信号選択回路２０６の入力端子には、電流電圧変換回路２０７の出力信号とスタート信号ＳＰとが入力される。スタート信号選択回路２０６の選択制御端子には選択制御信号として、電源電圧ＶＣＣ又はグラウンド電位ＧＮＤのいずれかが入力される。１番目のチップである半導体チップ１０１−１内のスタート信号選択回路２０６の選択制御端子には、電源電圧ＶＣＣが入力される。このとき、スタート信号選択回路２０６の出力端子からスタート信号ＳＰが出力される。２番目以降のチップである半導体チップ１０１−２〜ｎ内の選択制御端子には、グラウンド電位ＧＮＤが接続される。このとき、スタート信号選択回路２０６の出力端子から電流電圧変換回路２０７の出力信号が出力される。
【手続補正４】
【補正対象書類名】明細書
【補正対象項目名】００３０
【補正方法】変更
【補正の内容】
【００３０】
トランジスタ２１、２２、２３、２４はＮ型のＭＯＳトランジスタである。トランジスタ２１、２２、２３、２４はカスコード型のカレントミラー回路を構成している。トランジスタ２１のドレイン端子とゲート端子は共通化され、定電流源２０の電流出力端子に接続される。トランジスタ２２のドレイン端子とゲート端子は共通化され、トランジスタ２１のソース端子及びトランジスタ２４のゲート端子に接続される。トランジスタ２２のソース端子はグラウンド端子ＧＮＤに接続される。トランジスタ２３のゲート端子はトランジスタ２１のゲート端子に接続される。トランジスタ２４のドレイン端子はトランジスタ２３のソース端子に接続される。トランジスタ２４のソース端子はグラウンド端子ＧＮＤに接続される。トランジスタ２３のソース端子とトランジスタ２４のドレイン端子との接続点は電流電圧変換回路４０７の入力端子ｉｎである。電流電圧変換回路４０７の入力端子ｉｎは、制御信号線１０５を介して、制御信号出力回路２０９の出力端子ｏｕｔに接続される。